(57)【要約】      （修正有）【課題】他人によるパスワード等の機密情報の不正使用に対するセキュリティを確保しつつ使用性能も高める。【解決手段】スマートフォン１とリスト端末２とは、ペアリング処理を実行する。ペアリング処理が完了したならば、スマートフォン１にデータを書き込む。このデータは、「ＡＢＣ銀行」等の項目と「３２１０」等の機密番号とで構成される。全てのデータの入力を完了した後に、スマートフォン１にてシークレットファイルメモの内容を表示すると、機密番号を暗号化して表示部に表示する。リスト端末２は、表示部２０２に前記項目を表示させることにより、いずれかの項目を選択可能に表示する。この表示状態において、ユーザが表示されている項目に指でタッチすると、シークレットファイルメモからデータを取り出して機密番号をリスト端末２の表示部２０２に表示する。【選択図】図７
2014123177.tif 000002
【特許請求の範囲】
【請求項１】
ネットワークを介して外部のサーバーに接続可能な第１の端末と、前記第１の端末と通信可能な第２の端末とで構成されるセキュリティシステムであって、
前記第１の端末は、
前記サーバーとの接続に必要とされる機密情報を記憶する記憶手段と、
前記第２の端末を接続相手として決定する第１のペアリング手段と、
前記第１のペアリング手段により決定された第２の端末に前記機密情報を送信する送信手段と
を備え、
前記第２の端末は、
前記第１の端末を接続相手として決定する第２のペアリング手段と、
前記第１及び第２のペアリング手段により、接続相手として決定された第１の端末から送信される前記機密情報を受信する受信手段と、
前記受信手段により受信した前記機密情報得を表示する表示手段と
を備えることを特徴とするセキュリティシステム。
【請求項２】
前記記憶手段は、複数の各項目に対応して機密情報を記憶し、
前記送信手段は、各項目の機密情報を送信し、
前記受信手段は、各項目の機密情報を受信し、
前記表示手段は、前記各項目を表示する第１の表示手段と、前記第１の表示手段により表示された項目からいずれかが選択されると、対応する機密情報を表示する第２の表示手段とを備えることを特徴とする請求項１記載のセキュリティシステム。
【請求項３】
前記第１及び第２の端末は、携帯可能であることを特徴とする請求項１又は２記載のセキュリティシステム。
【請求項４】
前記第１の端末はスマートフォンであり、前記第２の端末は腕に装着可能なリスト端末であることを特徴とする請求項３記載のセキュリティシステム。
【請求項５】
前記第１の端末に、前記機密情報を用いて前記サーバーと接続するに必要なアプリケーションが記憶されていることを特徴とする請求項１から４にいずれか記載のセキュリティシステム。
【請求項６】
ネットワークを介して外部のサーバーに接続可能な第１の端末と、前記第１の端末と通信可能な第２の端末とで構成されるセキュリティシステムにおける第１の端末であって、
前記サーバーとの接続に必要とされる機密情報を記憶する記憶手段と、
前記第２の端末を接続相手として決定するペアリング手段と、
前記ペアリング手段により決定された第２の端末に前記機密情報を送信する送信手段と
を備えることを特徴とする端末。
【請求項７】
ネットワークを介して外部のサーバーに接続可能な第１の端末と、前記第１の端末と通信可能な第２の端末とで構成されるセキュリティシステムにおける前記第２の端末であって、
前記第１の端末を接続相手として決定するペアリング手段と、
前記ペアリング手段により、接続相手として決定された第１の端末から送信される前記機密情報を受信する受信手段と、
前記受信手段により受信した前記機密情報得を表示する表示手段と
を備えることを特徴とする端末。
【請求項８】
ネットワークを介して外部のサーバーに接続可能な第１の端末と、前記第１の端末と通信可能な第２の端末とで構成されるセキュリティシステムにおける第１の端末が有するコンピュータを、
前記サーバーとの接続に必要とされる機密情報を記憶させる記憶制御手段と、
前記第２の端末を接続相手として決定するペアリング手段と、
前記ペアリング手段により決定された第２の端末に前記機密情報を送信する送信手段として機能させることを特徴とするプログラム。
【請求項９】
ネットワークを介して外部のサーバーに接続可能な第１の端末と、前記第１の端末と通信可能な第２の端末とで構成されるセキュリティシステムにおける前記第２の端末が有するコンピュータを、
前記第１の端末を接続相手として決定するペアリング手段と、
前記ペアリング手段により、接続相手として決定された第１の端末から送信される前記機密情報を受信する受信手段と、
前記受信手段により受信した前記機密情報得を表示させる表示制御手段と
して機能させることを特徴とするプログラム。
【発明の詳細な説明】
【技術分野】
【０００１】
本発明は、端末の他人による不正使用に対するセキュリティを確保するセキュリティシステム、端末及びプログラムに関するものである。
【背景技術】
【０００２】
従来、携帯端末のセキュリティを確保するための技術として、例えば下記特許文献１に記載のシステムが知られている。
このシステムは、携帯端末及びこれと無線接続されたキーユニットで構成されている。携帯端末はキーユニットからの電波強度レベルを検出し、受信した電波強度レベルを規定値と比較して使用制限レベルを判断する。そして、両者が無線接続された認証成立時の使用制限レベル設定により、キーユニットとの間の距離に基づいて携帯端末の機能の使用制限をする。具体的には、キーユニットとの距離が最も小さいレベル１では制限なしとし、
レベル２：決済機能の制限、レベル３：アドレス帳・メールに関する操作の制限 、レベル４：発信に関する操作の制限を行う。そして、キーユニットとの距離が最も大きいレベル５では、携帯端末の全機能を制限することにより、携帯端末のセキュリティを確保しようとするものである。
【先行技術文献】
【特許文献】
【０００３】
【特許文献１】特開２００７−１９７４８号公報
【発明の概要】
【発明が解決しようとする課題】
【０００４】
今日においては、携帯端末を用いて各種決済や商品の購入、アプリケーションのダウンロード等が行われている。この場合、対応する各サイトへのログインにはパスワード等の入力が要求される。したがって、前記従来技術において、レベル１の制限なしであったとしても、所望するサイトへのログインには対応するパスワード等の入力が必要である。
【０００５】
このとき、ユーザは不正使用によるログインを防止すべく、各サイト毎に異なるパスワード等を設定することが一般的である。このため、サイトとパスワードとの関係を誤認あるいは失念し、所望するサイトへ迅速にログインできないばかりか、ログイン不可能となる事態が生ずる場合がある。
【０００６】
また、携帯端末のメモリに自己が使用するパスワード一覧を記憶させるとともに、このメモリを開くためのマスターキーを設定してセキュリティを確保することも行われている。しかし、このようなセキュリティ形態では、マスターキーが見破られると全てのパスワードが盗用されて不正使用される重大な危険性がある。
【０００７】
本発明は、かかる従来の課題に鑑みてなされたものであり、他人によるパスワード等の機密情報の不正使用に対するセキュリティを確保しつつ使用性能も高めたセキュリティシステム、端末及びプログラムを提供することを目的とする。
【課題を解決するための手段】
【０００８】
前記課題を解決するため請求項１記載の発明は、ネットワークを介して外部のサーバーに接続可能な第１の端末と、前記第１の端末と通信可能な第２の端末とで構成されるセキュリティシステムであって、前記第１の端末は、前記サーバーとの接続に必要とされる機密情報を記憶する記憶手段と、前記第２の端末を接続相手として決定する第１のペアリング手段と、前記第１のペアリング手段により決定された第２の端末に前記機密情報を送信する送信手段とを備え、前記第２の端末は、前記第１の端末を接続相手として決定する第２のペアリング手段と、前記第１及び第２のペアリング手段により、接続相手として決定された第１の端末から送信される前記機密情報を受信する受信手段と、前記受信手段により受信した前記機密情報得を表示する表示手段とを備えることを特徴とするセキュリティシステムを提供する。
【０００９】
また、請求項６記載の発明は、ネットワークを介して外部のサーバーに接続可能な第１の端末と、前記第１の端末と通信可能な第２の端末とで構成されるセキュリティシステムにおける第１の端末であって、前記サーバーとの接続に必要とされる機密情報を記憶する記憶手段と、前記第２の端末を接続相手として決定するペアリング手段と、前記ペアリング手段により決定された第２の端末に前記機密情報を送信する送信手段とを備えることを特徴とする端末を提供する。
【００１０】
また、請求項７記載の発明は、ネットワークを介して外部のサーバーに接続可能な第１の端末と、前記第１の端末と通信可能な第２の端末とで構成されるセキュリティシステムにおける前記第２の端末であって、前記第１の端末を接続相手として決定するペアリング手段と、前記ペアリング手段により、接続相手として決定された第１の端末から送信される前記機密情報を受信する受信手段と、前記受信手段により受信した前記機密情報得を表示する表示手段とを備えることを特徴とする端末を提供する。
【００１１】
また、請求項８記載の発明は、ネットワークを介して外部のサーバーに接続可能な第１の端末と、前記第１の端末と通信可能な第２の端末とで構成されるセキュリティシステムにおける第１の端末が有するコンピュータを、前記サーバーとの接続に必要とされる機密情報を記憶させる記憶制御手段と、前記第２の端末を接続相手として決定するペアリング手段と、前記ペアリング手段により決定された第２の端末に前記機密情報を送信する送信手段として機能させることを特徴とするプログラムを提供する。
【００１２】
また、請求項９記載の発明は、ネットワークを介して外部のサーバーに接続可能な第１の端末と、前記第１の端末と通信可能な第２の端末とで構成されるセキュリティシステムにおける前記第２の端末が有するコンピュータを、前記第１の端末を接続相手として決定するペアリング手段と、前記ペアリング手段により、接続相手として決定された第１の端末から送信される前記機密情報を受信する受信手段と、前記受信手段により受信した前記機密情報得を表示させる表示制御手段として機能させることを特徴とするプログラムを提供する。
【発明の効果】
【００１３】
本発明によれば、他人によるパスワード等の機密情報の不正使用に対するセキュリティを確保しつつ使用性能も高めることができる。
【図面の簡単な説明】
【００１４】
【図１】本発明の一実施の形態に係るセキュリティシステムを示すブロック図である。
【図２】同セキュリティシステムにおけるスマートフォンの動作説明図である。
【図３】同セキュリティシステムにおけるスマートフォンの回路構成を示すブロック図である。
【図４】同セキュリティシステムにおけるリスト端末の回路構成を示すブロック図である。
【図５】ペアリング処理の手順を示すフローチャートである。
【図６】スマートフォンとリスト端末の処理手順を示すフローチャートである。
【図７】スマートフォンとリスト端末の表示遷移図である。
【発明を実施するための形態】
【００１５】
以下、本発明の実施の形態について図面を参照して説明する。
図１は、本実施の形態に係るセキュリティシステムの全体構成を示すブロック図である。
サーバー１１を含むアプリケーションサイト１０、及びサーバー１２を含む各銀行サイト１３は、インターネット５００を介してスマートフォン１−１、１−２、１−３、・・・（以下、これら複数のスマートフォンを総称し、あるいは複数のスマートフォンのいずれかを指す場合、スマートフォン１と表記する）及びＰＣ（Personal Computer）３と接続される。また、リスト端末２−１、２−２、２−３・・・（以下、これら複数のリスト端末を総称し、あるいは複数のリスト端末２のいずれかを指す場合、リスト端末２と表記する）は、サーバー１１を含むアプリケーションサイト１０のみに接続される。リスト端末２は、スマートフォン１と、例えばブルートゥース（Bluetooth（登録商標））で近接無線接続されてデータ交換が可能である。スマートフォン１及びリスト端末２は、アプリケーションサイト１０からアプリケーションをダウンロードして、インストールする動作をするとともに、インストールしたアプリケーションに従って処理を実行する。
【００１６】
図２は、スマートフォン１とリスト端末２の外観構成を含む表示遷移図である。スマートフォン１は、周知のように縦長上の装置本体１０１と、この装置本体１０１上に配置された同様に縦長上の表示部１０２及びタッチパネル１０３とを有する。リスト端末２は、人体の手首に装着可能な腕時計型であり、時計ケース２０１とこの時計ケース２０１上に配置された表示部２０２とタッチパネル２０３、及び時計ケース２０１の両端部に装着されたリストバンド２０４とで構成されている。
【００１７】
図３は、スマートフォン１の回路構成を示す概略ブロック図である。１０２は、前記表示部であり、前述のように配置されたＬＣＤとこれを駆動する駆動回路等から構成されている。１０４は、表示制御部であり表示部１０２の表示状態を制御する。１０５は、入力部であり、各種キーやスイッチを有して構成されており、また、前記タッチパネル１０３も含まれる。１０６は、シークレットファイルメモであり、後述するアプリケーション「シークレットファイルメモ」を起動させることにより生成されるパスキー、暗証番号、機密番号等を格納するメモリである。
【００１８】
１０７は、ＣＰＵであり、スマートフォン１全体を制御する。１０８はプログラムメモリであり、制御プログラム１０８１及びペアリングプログラム１０８３が予め記憶されているとともに、ダウンロードしたアプリケーションプログラム１０８２等が記憶される。制御プログラム１０８１はスマートフォン１全体を制御する基本的な制御プログラムであり、ペアリングプログラム１０８３は直近のリスト端末２とのペアリングを成立させるためのプログラムである。１０９はリスト端末２との間で、前記近接無線による送受信を行う無線Ｉ／Ｆであり、１１０はＷｉ−Ｆｉなどでサーバー１１、１２等とのリンクを行う通信Ｉ／Ｆである。
【００１９】
１１１は電波強度検出回路であり、無線Ｉ／Ｆ１０９を介して受信した近接無線の電波強度を、つまり受信電波強度を検出する。また、前記プログラムメモリ１０８には、図示はしないが、受信電波強度と送信源までの距離との関係が書き込まれたテーブルが記憶されている。したがって、ＣＰＵ１０７は、電波強度検出回路１１１で検出した受信電波強度に基づきテーブルを参照することにより、送信源である機器までの距離を取得することができる。さらに、複数の強度の異なる電波を受信した際には、どの電波を送信した機器が直近であるかも判断する、つまり直近の機器を探索することができる。
【００２０】
なお、スマートフォン１は、電話通信を行うため、入力された音声を変調して送信する音声入力回路、送信回路、及び受信した音声信号を受信して復号再生する受信回路、再生回路等を有するが、これら周知の回路については、図示及び説明を省略する。
【００２１】
図４は、リスト端末２の回路構成を示す概略ブロック図である。リスト端末２は、時計部２２１を有する点以外は、スマートフォン１とほぼ同様の構成である。すなわち、２０２は、前記表示部でありＬＣＤとこれを駆動する駆動回路等から構成されている。２０４は、表示部２０２の表示状態を制御する表示制御部である。２０５は、入力部であり、各種キーやスイッチを有して構成され、また、前記タッチパネル２０３も含まれる。２０６は、シークレットファイルメモであり、後述するアプリケーション「シークレットファイルメモ」を起動させることにより生成されるパスキー、暗証番号、機密番号等の機密情報を格納するメモリである。
【００２２】
２０７は、ＣＰＵであり、リスト端末２全体を制御する。２０８はプログラムメモリであり、制御プログラム２０８１及びペアリングプログラム２０８３が予め記憶されているとともに、ダウンロードしたアプリケーションプログラム２０８２等が記憶される。制御プログラム２０８１はリスト端末２全体を制御する基本的な制御プログラムであり、ペアリングプログラム２０８３は直近のスマートフォン１とのペアリング成立させるためのプログラムである。２０９はスマートフォン１との間で、前記無線によるリンクを行う無線Ｉ／Ｆであり、２１０はＷｉ−Ｆｉなどでサーバー１１等とのリンクを行う通信Ｉ／Ｆである。
【００２３】
２１１は電波強度検出回路であり、無線Ｉ／Ｆ２０９を介して受信した近接無線の電波強度を、つまり受信電波強度を検出する。また、前記プログラムメモリ２０８には、図示はしないが、受信電波強度と送信源までの距離との関係が書き込まれたテーブルが記憶されている。したがって、ＣＰＵ２０７は、電波強度検出回路２１１で検出した受信電波強度に基づきテーブルを参照することにより、送信源である機器までの距離を取得することができる。さらに、複数の強度の異なる電波を受信した際には、どの電波を送信した機器が直近であるかを判断する、つまり直近の機器を探索することができる。
【００２４】
次に、本実施の形態の動作についてフローチャート等に基づき説明する。
図５は、ペアリング処理を示すフローチャートである。ブルートゥースにおけるペアリング処理方法は、周知の技術ではあるが、本実施の形態におけるスマートフォン１とリスト端末２のペアリング処理を同図のフローチャート及び図２の説明図に基づき説明する。
【００２５】
スマートフォン１は、同図（ａ）に示すようにブルートゥース（もしくはＷｉ−Ｆｉ）が環境設定されて、近接無線が可能な状態において、直近のリスト端末２を探索する（ステップＳＡ１１）。一方、リスト端末２は、同図（ｂ）に示すようにブルートゥース（もしくはＷｉ−Ｆｉ）が環境設定されて、近接無線が可能な状態において、直近のスマートフォンを探索する（ステップＳＢ１１）。このとき、ペアリングされていない当該ユーザのスマートフォン１とリスト端末２とが近接して存在すると、スマートフォン１とリスト端末２とは、それぞれ近接無線での送信と受信とを繰り返し、前述のようにして直近の相手機器を探索する。
【００２６】
直近の相手機器の探索を完了したならば、スマートフォン１はリスト端末２に接続要求を送信し（ステップＳＡ１２、図２（１））、リスト端末２はスマートフォン１に接続要求を送信する（ステップＳＢ１２、図２（２））。そして、これら各機器から接続要求による相互通信が確立したか否かをそれぞれ判断する（ステップＳＡ１３，ＳＢ１３）。接続要求による相互通信が確立したならば、スマートフォン１はリスト端末２にペアリング完了通知を発行する（ステップＳＡ１４、図２（３））。リスト端末２は、スマートフォン１からのペアリング完了通知の受信の有無を判断する（ステップＳＢ１４）。
【００２７】
リスト端末２は、ペアリング完了通知を受信したならば、パスキーを生成し（ステップＳＢ１５）、表示部２０２に例えば３０秒間表示する（ステップＳＢ１６、図２（４））。スマートフォン１及びリスト端末２のユーザは、このリスト端末２の表示部２０２に表示されたパスキーを視認して、スマートフォン１の入力部１０５が有するキーを操作し、パスキーを入力する。これにより、スマートフォン１の入力部１０５は操作されたキーに応じたパスキーをＣＰＵ１０７に入力する（ステップＳＡ１４）。
【００２８】
引き続き、この入力されたパスキーが入力条件を満たしているか否かを判断する（ステップＳＡ１５）。ここで、入力条件とは、図２（５）に記載したように、例えば発行されたパスキーを３０秒以内に入力したか、入力制限回数は３回までである。そして、これらの入力条件を満たしていない場合には、ステップＳＡ１１に戻る。入力条件を満たしている場合には、接続完了し（ステップＳＡ１７）、これによりパスキーを識別情報として、ペアリングされたスマートフォン１リスト端末２とが互いに通信接続可能なように通信設定が自動的に行われる。
【００２９】
次に、スマートフォン１及びリスト端末２の全体的な動作について、図６のローチャート及び図７の表示遷移図を参照して説明する。スマートフォン１及びリスト端末２のユーザは、例えば先ずスマートフォン１を操作し、インターネット５００を介してアプリケーションサイト１０に設けられているスマートフォンアプリマーケット（スマートフォン１用のアプリケーションのマーケット）にアクセスする。しかる後に、入力部１０５にて所定の操作を行うと、ＣＰＵ１０７はスマートフォンアプリマーケットから、「シークレットファイルメモ」と称するスマートフォンアプリケーション（スマートフォン１用のアプリケーション）をダウンロードする（ステップＳＡ２１、図７（１））。
【００３０】
このスマートフォンアプリケーション「シークレットファイルメモ」のダウンロードが完了すると、図３に示したようにスマートフォン１には、このアプリケーションで使用するシークレットファイルメモ１０６が自動的に設けられる。
【００３１】
次にユーザは、リスト端末２を操作し、インターネット５００を介してアプリケーションサイト１０に設けられているリスト端末アプリマーケット（リスト端末２用のアプリケーションのマーケット）にアクセスする。しかる後に、入力部２０５にて所定の操作を行うと、ＣＰＵ２０７はリスト端末アプリマーケットから、「シークレットファイルメモ」と称するリスト端末アプリケーション（リスト端末２用のアプリケーション）をダウンロードする（ステップＳＢ２１、図７（２））。
【００３２】
このスマートフォンアプリケーション「シークレットファイルメモ」のダウンロードが完了すると、図４に示したようにリスト端末２にも、このアプリケーションで使用するシークレットファイルメモ２０６が自動的に設けられる。
【００３３】
また、リスト端末アプリケーションのダウンロードが完了すると、ＣＰＵ２０７は、アプリケーションを自動的に起動するとともに（ステップＳＢ２２）、このアプリケーションの起動がダウンロード後における初回の起動であるか否かを判断する（ステップＳＢ２３）。初回の起動であるならば、前述の図５（ｂ）に示したフローチャートに従ったペアリング処理を実行する（ステップＳＢ２４）。
【００３４】
一方、スマートフォン１も、スマートフォンアプリケーションのダウンロードを完了すると、リスト端末２と近接無線通信を行うことにより、前述の図５（ｂ）に示したフローチャートに従ったペアリング処理を実行する（ステップＳＡ２２、図７（３））。ペアリング処理が完了したならば、ユーザによる入力部１０５にての操作に応じて、シークレットファイルメモ１０６にデータを書き込む（ステップＳＡ２３）。このシークレットファイルメモ１０６に書き込まれるデータは、図７の編集画面Ｐ１に例示するように、「ＡＢＣ銀行」等の項目と「３２１０」等の機密番号とで構成される。したがって、ユーザは、自己が所有している口座の暗証番号や各種決済の暗証番号等の機密番号を各々その項目と対応させて、データとしてシークレットファイルメモ１０６に書き込む。
【００３５】
全てのデータの入力を完了したならば、ユーザは入力部１０５にてデータ入力完了操作を行う。これにより、ステップＳＡ２４の判断がＹＥＳとなって、ＣＰＵ１０７はステップＳＡ２４からステップＳＡ２５に処理を進める。ユーザは、したシークレットファイルメモ１０６に全てのデータの入力を完了した後、この「シークレットファイルメモ」アプリケーションを起動させる際に必要となる暗証番号を決めて、入力部１０５から入力する。ＣＰＵ１０７は、この入力された暗証番号をプログラムメモリ１０８に記憶させ、入力処理を終了する（ステップＳＡ２５、図７（３））。
【００３６】
しかる後に、スマートフォン１にてシークレットファイルメモ１０６の内容を表示した際、ＣＰＵ１０７は機密番号を暗号化して表示部１０２に表示する（ステップＳＡ２６）。つまり、シークレットファイルメモ１０６には、図７の編集画面Ｐ１に示すように項目「ＡＢＣ銀行」と機密番号「３２１０」、項目「ＤＥＦ銀行」と機密番号「５６７８」・・・とが対応して記憶されているが、通常の状態でアプリケーションを開くと、表示画面Ｐ２に示すように、機密番号は暗号化されて表示される（図７（５））。
【００３７】
したがって、リスト端末２よりも大型の画面であるスマートフォン１の表示部１０２に表示される機密番号をのぞき見されて盗用されることを防止でき、また、スマートフォン１を置き忘れた場合にはおける機密番号の漏洩を防止してセキュリティを確保することができる。
【００３８】
また、シークレットファイルメモ１０６に書き込むべき事項に変化が生じた際には、入力部１０５にて所定の操作を行って編集を指示する（ステップＳＡ２７）。すると、ＣＰＵ１０７は、シークレットファイルメモ１０６を読み出し、前記ステップＳＡ２５で設定した暗証番号の入力を条件としてシークレットファイルメモ１０６の編集開始を許可する（ステップＳＡ２８）。したがって、新たにシークレットファイルメモ１０６に書き込むべきデータが発生した際や、シークレットファイルメモ１０６に書き込んだデータが不要となった際には、上記操作を行うことにより、これを自在に編集することができる。
【００３９】
他方、リスト端末２は、ステップＳＢ２３での判断がＮＯであって、初回の起動でない場合には、近接無線通信によりスマートフォン１のシークレットファイルメモ１０６の内容を受信し、これを自機のシークレットファイルメモ２０６にコピーして更新する（ステップＳＢ２５）。この更新は、項目と機密番号の両者であってもよいが、「ＡＢＣ銀行」「ＤＥＦ銀行」・・・の項目に関しては必ず更新を行う。したがって、スマートフォン１とリスト端末２のしたシークレットファイルメモ１０６、２０６は、少なくとも「ＡＢＣ銀行」「ＤＥＦ銀行」・・・の項目に関しては常時完全一致している。
【００４０】
リスト端末２は、ステップＳＢ２４の処理又はステップＳＢ２５の処理を終了すると、表示部２０２に前記項目を表示させることにより、いずれかの項目を選択可能に表示し、タッチに応答して選択する（ステップＳＢ２５）。この項目の表示は、入力部２０５での操作により項目表示モードが設定された場合にのみ行っても良いし、表示部２５２の一部に常時表示させておいてもよい。また、図７（６）に示すように、単一の項目（図示の例では「ＡＢＣ銀行」）のみを表示させ、他の項目はスクロール表示するようにしてもよい。表示状態において、図７（６）に示すように、ユーザが表示されている項目に指でタッチすると、タッチパネル１０３によりこれが検出され、ＣＰＵ２０７はタッチされた項目を選択する。
【００４１】
すると、リスト端末２のＣＰＵ２０７は、当該リスト端末２と対応するスマートフォン１と近接無線により、同期されて相互に固体認識されていることを確認する（ステップＳＢ２６）つまり、既に前述のステップＳＡ２２とステップＳＢ２４の処理が完了していて、スマートフォン１とリスト端末２とがペアリング処理されていることを確認する。
【００４２】
引き続き、リスト端末２は、スマートフォン１と近接無線によりデータ通信を行って、スマートフォン１が有するシークレットファイルメモ１０６の記憶内容の転送を要求し、これに応答してスマートフォン１から転送されてくるシークレットファイルメモ１０６の記憶内容を受信して、自機のシークレットファイルメモ２０６に格納するとともに、このシークレットファイルメモ２０６からデータを取り出して機密番号を表示部２０２に表示する（ステップＳＢ２７）。
【００４３】
このステップＳＢ２７での処理により、図７（７）に示すように、リスト端末２の表示部２０２には「ＡＢＣ銀行」の文字列とともに、機密番号「３２１０」が表示される。したがって、ユーザはこの機密番号を視認し、スマートフォン１にてこれを入力する等の所定の操作を行うことにより、機密番号を用いて決済等の電子取引を行うことができる。
【００４４】
このように、機密番号はスマートフォン１には表示されることなく、これとは別体のリスト端末２に表示されることから、スマートフォン１を置き忘れた場合であっても、他人が機密番号を不正利用することはできず、不正使用に対するセキュリティを確保することができる。しかも、ユーザはリスト端末２に表示された機密情報を見ながら、スマートフォン１を操作すればよいのであるから、容易に機密番号の入力を行うことができる。よって、他人による機密番号の不正使用に対するセキュリティを確保しつつ使用性能も高めることができる。
【００４５】
しかも、本実施の形態においては、機密番号を用いた各銀行のサーバーとの通信に必要なアプリケーションは、スマートフォン１のみに格納されていることから、リスト端末２に機密番号が表示されても、これを用いて電子決済を行うことはできない。よって、スマートフォン１又はリスト端末のいずれを置き忘れた場合であっても、他人が機密番号を不正利用することはできず、不正使用に対するセキュリティを確保することができる。
【００４６】
なお、実施の形態においては、スマートフォン１とリスト端末２との組合せに係るシステムについて説明したが、これらの組合せに限らず、例えばノート型パソコンとスマートフォンの組合せ、ノート型パソコンとリスト端末との組合せ等、他の機器種の組合せであってもよい。
【００４７】
また、この発明はこれらに限定されるものではなく、特許請求の範囲に記載された発明とその均等の範囲を含むものである。
以下に、本願出願時の特許請求の範囲を付記する。
＜請求項１＞
ネットワークを介して外部のサーバーに接続可能な第１の端末と、前記第１の端末と通信可能な第２の端末とで構成されるセキュリティシステムであって、
前記第１の端末は、
前記サーバーとの接続に必要とされる機密情報を記憶する記憶手段と、
前記第２の端末を接続相手として決定する第１のペアリング手段と、
前記第１のペアリング手段により決定された第２の端末に前記機密情報を送信する送信手段と
を備え、
前記第２の端末は、
前記第１の端末を接続相手として決定する第２のペアリング手段と、
前記第１及び第２のペアリング手段により、接続相手として決定された第１の端末から送信される前記機密情報を受信する受信手段と、
前記受信手段により受信した前記機密情報得を表示する表示手段と
を備えることを特徴とするセキュリティシステム。
＜請求項２＞
前記記憶手段は、複数の各項目に対応して機密情報を記憶し、
前記送信手段は、各項目の機密情報を送信し、
前記受信手段は、各項目の機密情報を受信し、
前記表示手段は、前記各項目を表示する第１の表示手段と、前記第１の表示手段により表示された項目からいずれかが選択されると、対応する機密情報を表示する第２の表示手段とを備えることを特徴とする請求項１記載のセキュリティシステム。
＜請求項３＞
前記第１及び第２の端末は、携帯可能であることを特徴とする請求項１又は２記載のセキュリティシステム。
＜請求項４＞
前記第１の端末はスマートフォンであり、前記第２の端末は腕に装着可能なリスト端末であることを特徴とする請求項３記載のセキュリティシステム。
＜請求項５＞
前記第１の端末に、前記機密情報を用いて前記サーバーと接続するに必要なアプリケーションが記憶されていることを特徴とする請求項１から４にいずれか記載のセキュリティシステム。
＜請求項６＞
ネットワークを介して外部のサーバーに接続可能な第１の端末と、前記第１の端末と通信可能な第２の端末とで構成されるセキュリティシステムにおける第１の端末であって、
前記サーバーとの接続に必要とされる機密情報を記憶する記憶手段と、
前記第２の端末を接続相手として決定するペアリング手段と、
前記ペアリング手段により決定された第２の端末に前記機密情報を送信する送信手段と
を備えることを特徴とする端末。
＜請求項７＞
ネットワークを介して外部のサーバーに接続可能な第１の端末と、前記第１の端末と通信可能な第２の端末とで構成されるセキュリティシステムにおける前記第２の端末であって、
前記第１の端末を接続相手として決定するペアリング手段と、
前記ペアリング手段により、接続相手として決定された第１の端末から送信される前記機密情報を受信する受信手段と、
前記受信手段により受信した前記機密情報得を表示する表示手段と
を備えることを特徴とする端末。
＜請求項８＞
ネットワークを介して外部のサーバーに接続可能な第１の端末と、前記第１の端末と通信可能な第２の端末とで構成されるセキュリティシステムにおける第１の端末が有するコンピュータを、
前記サーバーとの接続に必要とされる機密情報を記憶させる記憶制御手段と、
前記第２の端末を接続相手として決定するペアリング手段と、
前記ペアリング手段により決定された第２の端末に前記機密情報を送信する送信手段として機能させることを特徴とするプログラム。
＜請求項９＞
ネットワークを介して外部のサーバーに接続可能な第１の端末と、前記第１の端末と通信可能な第２の端末とで構成されるセキュリティシステムにおける前記第２の端末が有するコンピュータを、
前記第１の端末を接続相手として決定するペアリング手段と、
前記ペアリング手段により、接続相手として決定された第１の端末から送信される前記機密情報を受信する受信手段と、
前記受信手段により受信した前記機密情報得を表示させる表示制御手段と
して機能させることを特徴とするプログラム。
【符号の説明】
【００４８】
１    スマートフォン
２    リスト端末
１０１    装置本体
１０２    表示部
１０３    タッチパネル
１０５    入力部
１０６    シークレットファイルメモ
１０７    ＣＰＵ
１０８    プログラムメモリ
１０９    無線Ｉ／Ｆ
１１１    電波強度検出回路
２０１    時計ケース
２０２    表示部
２０３    タッチパネル
２０４    リストバンド
２０５    入力部
２０６    シークレットファイルメモ
２０７    ＣＰＵ
２０９    無線Ｉ／Ｆ
２１１    電波強度検出回路
２５２    表示部
１０８１    制御プログラム
１０８２    アプリケーションプログラム
１０８３    ペアリングプログラム
２０８１    制御プログラム
２０８２    アプリケーションプログラム
２０８３    ペアリングプログラム
【図１】
2014123177.tif 000003
【図３】
2014123177.tif 000004
【図４】
2014123177.tif 000005
【図５】
2014123177.tif 000006
【図６】
2014123177.tif 000007
【図２】
2014123177.tif 000008
【図７】
2014123177.tif 000009